(57)【特許請求の範囲】
【請求項１】
環境光を遮断し、かつ底面に筐体開口部を有する筐体と、
前記筐体開口部において前記筐体内部に露出する媒体を撮像する撮像部と、
前記筐体内部に配置され、前記筐体開口部に向かって光を前記筐体開口部における水平面の異なる領域に照射する複数の光源と、
少なくとも前記撮像部および前記複数の光源の制御を行う制御部と、
前記筐体の前記底面に着脱可能に取り付けられるアタッチメントと、
を備え、
前記アタッチメントは、
前記アタッチメントが前記筐体に取り付けられた状態で、前記筐体開口部を囲繞するとともに、底面が前記媒体に載置された状態で、前記筐体とともに前記環境光を遮断する
ことを特徴とする画像読取装置。
【請求項２】
前記アタッチメントは、
前記底面に形成された第２開口部と、前記筐体開口部と連通する第１開口部を有し、
前記アタッチメントの高さおよび前記第２開口部の面積の関係は、前記撮像部の画角に基づいて前記第２開口部が前記撮像部の撮像可能領域に含まれるように決定されている
請求項１に記載の画像読取装置。
【請求項３】
前記アタッチメントが前記筐体に取り付けられたことを検出する取付状態検出部をさらに備え、
前記制御部は、前記アタッチメントが前記筐体に取り付けられたことを検出された場合に、少なくとも前記撮像部の撮像条件あるいは前記複数の光源の点灯条件のいずれか一方を、前記アタッチメントが前記筐体に取り付けられたことにより取得される前記アタッチメントの情報に基づいて変更する
請求項１または２に記載の画像読取装置。
【請求項４】
前記撮像部により前記媒体が撮像されることで生成された前記媒体に対応する画像データに対して、前記撮像部による撮像時における情報である撮像情報を含むタグ情報を付加するタグ情報付加部をさらに備え、
前記タグ情報付加部は、前記アタッチメントが前記筐体に取り付けられた状態で、前記撮像部により前記媒体が撮像されることで生成された前記画像データに対して、前記アタッチメントが前記筐体に取り付けられたことにより取得される前記アタッチメントの情報に基づいて変更されるタグ情報を付加する
請求項１〜３のいずれか１つに記載の画像読取装置。
【請求項５】
前記制御部は、前記取付状態検出部から出力される出力信号に基づいて、予め記憶されている前記アタッチメントの情報を取得する
請求項３に記載の画像読取装置。
【請求項６】
前記筐体には、複数種類の前記アタッチメントが着脱可能であり、
前記アタッチメントの情報は、前記アタッチメントに基づいて異なる
請求項３〜５のいずれか１つに記載の画像読取装置。
【発明の詳細な説明】
【技術分野】
【０００１】
本発明は、画像読取装置に関する。
【背景技術】
【０００２】
フィルムカメラで撮影して生成された銀塩写真や画像データに基づいて印刷された印刷写真などの写真単体や、複数の写真を１つにまとめた写真帳（アルバム）などの媒体を画像データに変換し、ハードディスクなどの記録媒体やクラウド上に保存、管理したいという要望がある。一般には、画像読取装置（フラットベッドスキャナ、ＡＤＦ（Auto  Document  Feeder）スキャナ、オーバーヘッドスキャナ、ハンディスキャナ、デジタルカメラ）により、媒体を読み取り、画像データが生成される。
【０００３】
フラットベッドスキャナでは、写真単体を１枚以上、あるいは写真帳の少なくとも読み取りたい写真を含む領域をガラス台に載置して、撮像部がガラス台を介してこれらのガラス台側の読取面を撮像することとなる。ＡＤＦスキャナでは、撮像部により写真単体を連続して複数枚撮像することができる。オーバーヘッドスキャナ（特許文献１参照）や、デジタルカメラでは、写真単体を１枚以上、あるいは写真帳の少なくとも読み取りたい写真を含む領域を撮像部の撮像範囲内に配置して、撮像部が撮像部と対向する側の読取面を撮像することとなる。ハンディスキャナ（特許文献２参照）では、写真単体、あるいは写真帳の１枚の写真の全域を撮像部により撮像するため、ハンディスキャナを写真単体、あるいは写真帳に接触させながら移動させる。
【先行技術文献】
【特許文献】
【０００４】
【特許文献１】特開２００１−２６８３２３号公報
【特許文献２】米国特許出願公開第２０１１／０１４２３７１号明細書
【発明の概要】
【発明が解決しようとする課題】
【０００５】
ところで、媒体の損傷を抑制し、手軽に媒体を画像データに変換でき、画像品位の高い画像データの生成が要望されている。フラットベッドスキャナ、ＡＤＦスキャナ、オーバーヘッドスキャナなどでは、媒体をスキャナが設置されている場所まで持って行き、媒体を撮像部が撮像できるように配置したり、工夫したりしなければならない。例えば、ＡＤＦスキャナでは、写真帳の写真を画像データに変換する場合は、写真帳から写真を一旦取り出すこととなる。特に、写真を粘着剤で固定する写真帳の場合は、写真を剥がす際における写真の破損や、剥がすことで粘着剤の粘着力が低下し再度写真を写真帳に貼着しにくくなる問題がある。
【０００６】
また、ＡＤＦスキャナでは、撮像部まで、搬送ローラにより写真を搬送するため、写真が損傷する問題がある。同様に、ハンディスキャナでは、媒体と接触するため、媒体が損傷する問題がある。
【０００７】
ハンディスキャナでは、写真単体を画像データに変換する場合に、写真が動かないように手などで押さえなければならない。また、ハンディスキャナ側を動かすので、ユーザーが行う作業が多く、煩わしい。さらに、ユーザーが媒体に対してハンディスキャナを動かすので、媒体とハンディスキャナの相対速度を一定とすることができず、生成される画像データの画像品位を高く維持することが困難である。
【０００８】
オーバーヘッドスキャナ、デジタルカメラでは、撮像時に写真や写真帳が外部に露出しているので、外部環境の影響を受ける。銀塩写真に用いられる印画紙や印刷写真に用いられる光沢紙などは、普通紙などと比較して反射率が高いために、外部から媒体に照射される環境光が媒体の読取面で反射され、撮像部に直接入射する。結果として、撮像部に直接入射される環境光の反射光が多くなることで発生する不都合、すなわち環境光の写り込みが生じ、生成される画像データの画像品位を高く維持することが困難である。
【０００９】
本発明は、上記に鑑みてなされたものであって、媒体の損傷を抑制し、手軽に媒体を画像データに変換でき、画像品位の高い画像データを生成することができる画像読取装置を提案することを目的とする。
【課題を解決するための手段】
【００１０】
上述した課題を解決し、目的を達成するために、本実施形態に係る画像読取装置は、環境光を遮断し、かつ底面に筐体開口部を有する筐体と、前記筐体開口部において前記筐体内部に露出する媒体を撮像する撮像部と、前記筐体内部に配置され、前記筐体開口部に向かって光を前記筐体開口部における水平面の異なる領域に照射する複数の光源と、少なくとも前記撮像部および前記複数の光源の制御を行う制御部と、前記筐体の前記底面に着脱可能に取り付けられるアタッチメントと、を備え、前記アタッチメントは、前記アタッチメントが前記筐体に取り付けられた状態で、前記筐体開口部を囲繞するとともに、底面が前記媒体に載置された状態で、前記筐体とともに前記環境光を遮断する。
【発明の効果】
【００１１】
本発明にかかる画像読取装置は、媒体の損傷を抑制し、手軽に媒体を画像データに変換でき、画像品位の高い画像データを生成することができるという効果を奏する。また、アタッチメントにより、例えば、撮像部による撮像範囲の変更や、撮像状況の変更を行うことができる。
【図面の簡単な説明】
【００１２】
【図１】図１は、実施形態１に係る画像読取装置の外観図である。
【図２】図２は、実施形態１に係る画像読取装置のアタッチメント使用状態を示す図である。
【図３】図３は、実施形態１に係る画像読取装置のアタッチメント非使用状態を示す図である。
【図４】図４は、アタッチメント使用状態における画像読取装置の断面図である。
【図５】図５は、アタッチメント非使用状態における画像読取装置の断面図である。
【図６】図６は、筐体の底面図である。
【図７】図７は、主照射領域を示す図である。
【図８】図８は、実施形態１に係る画像読取装置の概略構成例を示す図である。
【図９】図９は、合成画像データを示す図である。
【図１０】図１０は、実施形態１に係る画像読取装置の読取動作のフローチャート図である。
【図１１】図１１は、実施形態１に係る画像読取装置の読取動作のフローチャート図である。
【図１２】図１２は、実施形態１に係る画像読取装置の読取動作のフローチャート図である。
【図１３】図１３は、アタッチメント使用状態において生成された画像データを示す図である。
【図１４】図１４は、アタッチメント非使用状態において生成された画像データを示す図である。
【図１５】図１５は、実施形態２に係る画像読取装置の外観図である。
【図１６】図１６は、他の実施形態に係る画像読取装置のアタッチメント使用状態を示す図である。
【図１７】図１７は、アタッチメント使用状態における撮像範囲を示す図である。
【発明を実施するための形態】
【００１３】
以下、本発明につき図面を参照しつつ詳細に説明する。なお、下記の実施形態により本発明が限定されるものではない。また、下記の実施形態における構成要素には、当業者が容易に想定できるものあるいは実質的に同一のものが含まれる。
【００１４】
〔実施形態１〕
図１は、実施形態１に係る画像読取装置の外観図である。図２は、実施形態１に係る画像読取装置のアタッチメント使用状態を示す図である。図３は、実施形態１に係る画像読取装置のアタッチメント非使用状態を示す図である。図４は、アタッチメント使用状態における画像読取装置の断面図である。図５は、アタッチメント非使用状態における画像読取装置の断面図である。図６は、筐体の底面図である。図７は、主照射領域を示す図である。図８は、実施形態１に係る画像読取装置の概略構成例を示す図である。なお、各図におけるＸ軸方向を幅方向、Ｙ軸方向を奥行き方向、Ｚ軸方向を高さ方向とする。図４は、図２における画像読取装置１Ａを媒体Ｐ２に載置した状態において、幅方向視における媒体Ｐ２、筐体２およびアタッチメント４の断面図を含む図である。図５は、図３における画像読取装置１Ａを媒体Ｐ１に載置した状態において、幅方向視における媒体Ｐ１および筐体２の断面図を含む図である。
【００１５】
実施形態１にかかる画像読取装置１Ａは、手で持ち運べるサイズであり、図２，図３に示すように、媒体Ｐを撮像部３１で媒体Ｐに対応する画像データＤＰを生成するものである。画像読取装置１Ａは、図２に示すように、アタッチメント４が取り付けられた状態、すなわちアタッチメント使用状態の筐体２を媒体Ｐ２に載置して媒体Ｐ２を撮像部３１で撮像することで、媒体Ｐ２に対応する画像データＤＰ２を生成するものである。また、画像読取装置１Ａは、図３に示すように、アタッチメント４が取り外された状態、すなわちアタッチメント非使用状態の筐体２のみを媒体Ｐ１に載置して媒体Ｐ１を撮像部３１で撮像することで、媒体Ｐ１に対応する画像データＤＰ１を生成するものでもある。本実施形態における画像読取装置１Ａは、銀塩写真や印刷写真がまとめられた写真帳を媒体Ｐとし、写真帳内の写真単体を読取対象領域Ｐｔとして読み取り、写真帳内の写真単体に対応する画像データＤＰを生成するものである。なお、本実施形態における画像読取装置１Ａの使用用途は、上記に限定されるものではなく、光沢を有する紙（銀塩写真単体や印刷写真単体、雑誌など）に対応する画像データＤＰを生成する場合のみならず、普通紙上の画像などユーザーが画像データＤＰを生成したいいずれの媒体についても使用することができる。
【００１６】
画像読取装置１Ａは、図１に示すように、筐体２と、外部装置３と、アタッチメント４を備え、さらに図８に示すように、複数の光源２４と、光源制御部２７ａと、撮像部３１と、表示部３２と、外部装置制御部３５とを備える。本実施形態における画像読取装置１Ａは、複数の光源２４と、光源制御部２７ａとを筐体２が有し、撮像部３１と、表示部３２と、外部装置制御部３５とを外部装置３が有する。
【００１７】
筐体２は、外形および撮像部３１の位置が規定されている外部装置３、あるいは外形および撮像部３１の位置が一定の範囲内にある外部装置３、例えば同一シリーズの外部装置３を対象に形成されている。筐体２は、図４，図５に示すように、環境光を遮断し、かつ底面２ａに筐体開口部２２を有するものであり、外部装置３が着脱可能である。筐体２は、本体部２１と、筐体開口部２２と、収納部２３と、複数の光源２４と、ミラー２５と、接地センサ２６と、筐体制御部２７と、電源部２８と、収納センサ２９とを備える。
【００１８】
本体部２１は、環境光を透過しない樹脂材料（例えば、黒色の合成樹脂）で形成され、底面２ａに筐体開口部２２を有する箱形状である。本体部２１は、図６に示すように、幅方向において一対の対向する内部側面２１ａ，２１ｂと、奥行き方向において一対の対向する露出面２１ｃおよび対向面２１ｄと、天井面２１ｅと、筐体開口部２２とで内部空間、すなわち筐体内部２１ｆを形成する。筐体内部２１ｆは、図４，図５に示すように、内部側面２１ａ，２１ｂ側から見た際に、本体部２１の一対の対向する露出面２１ｃと対向面２１ｄとの間隔が筐体開口部２２に向かって拡大して形成されている。つまり、筐体内部２１ｆは、露出面２１ｃおよび対向面２１ｄが傾斜面である台形状に形成されている。なお、本体部２１は、図１に示すように、外部形状も筐体内部２１ｆに沿って、露出面２１ｃに対応する傾斜面２１ｇ、対向面２１ｄに対応する傾斜面２１ｈを有する台形状である。
【００１９】
筐体開口部２２は、図５に示すように、筐体２により媒体Ｐ１の読取対象領域Ｐｔ１を覆った際に、媒体Ｐ１と重なり合い、媒体Ｐ１を筐体内部２１ｆに露出させるものである。本実施形態における筐体開口部２２は、Ｌサイズ（８９ｍｍ×１２７ｍｍ）の写真が筐体開口部２２内に収まる面積で形成されている。後述する画像処理を考慮して、筐体開口部２２は、Ｌサイズの写真の中心と筐体開口部２２の中心とを一致させた状態で、筐体開口部２２の外縁と写真の外縁との間に隙間が形成される面積、例えば１０２ｍｍ×１４０ｍｍであることが好ましい。なお、筐体開口部２２は、筐体内部２１ｆと外部との連通を遮断するような部材を有していない。
【００２０】
収納部２３は、図１に示すように、外部装置３を収納する（同図矢印Ａ）ものであり、筐体２の外側に形成されている。本実施形態における収納部２３は、外部装置３を内部に収納できる枠部材であり、傾斜面２１ｇに形成されている。収納部２３は、収納された外部装置３との間に隙間ができるように形成されており、収納した外部装置３を取り外すことができる。従って、撮像部３１および表示部３２は、筐体２とは異なる外部装置３に搭載されるとともに、筐体２に対して着脱可能である。収納部２３は、傾斜面２１ｇに形成されているため、収納された外部装置３の底部３ａ（鉛直方向において撮像部３１が形成されている側とは反対側）を基準として、外部装置３の筐体２に対する位置決めを行うことができる。収納部２３は、撮像用開口部２３ａが形成されている。撮像用開口部２３ａは、図４，図５に示すように、傾斜面２１ｇから露出面２１ｃまで貫通する貫通孔であり、収納部２３に収納された外部装置３の撮像部３１と対向する位置に形成されている。つまり、筐体２の露出面２１ｃは、外部装置３の撮像部３１を筐体内部２１ｆに露出させることができる。なお、収納部２３には、切欠部２３ｂ，２３ｄと、外部装置３を収納する空間と連通する指用穴部２３ｃが形成されている。切欠部２３ｂ，２３ｄおよび指用穴部２３ｃは、図２，図３に示すように、収納部２３に外部装置３が収納された状態で、外部装置３の外周面を外部に露出させることができる。従って、ユーザーは、少なくとも切欠部２３ｂ，２３ｄあるいは指用穴部２３ｃのいずれか一方から外部装置３に接触することができるので、収納部２３から外部装置３を容易に取り外すことができる。
【００２１】
複数の光源２４は、図６に示すように、筐体内部２１ｆに配置され、筐体開口部２２に向かって光を照射するものである。本実施形態における複数の光源２４は、第１光源２４ａおよび第２光源２４ｂの２つの光源である。第１光源２４ａおよび第２光源２４ｂは、ＬＥＤ、ＬＤなどの複数の発光素子を帯状に配列した発光モジュールであり、電源部２８からの電力で点灯する。第１光源２４ａおよび第２光源２４ｂは、内部側面２１ａ，２１ｂにそれぞれ設けられている。第１光源２４ａおよび第２光源２４ｂは、アタッチメント非使用状態における筐体開口部２２から筐体内部２１ｆに露出する媒体Ｐ１の全領域（読取対象領域Ｐｔ１を含む領域）およびアタッチメント使用状態における後述する第２開口部４３から本体内部４１ａを介して筐体内部２１ｆに露出する媒体Ｐ２の全領域（読取対象領域Ｐｔ２を含む領域）を撮像することができる光量を有している。第１光源２４ａおよび第２光源２４ｂは、筐体開口部２２および第２開口部４３における水平面の異なる領域に光を照射する。第１光源２４ａは、筐体開口部２２のうち内部側面２１ａ側に光軸を有する。第２光源２４ｂは、筐体開口部２２のうち内部側面２１ｂ側に光軸を有する。つまり、第１光源２４ａおよび第２光源２４ｂは、図７に示すように、アタッチメント非使用状態において、筐体開口部２２における水平面のうち、一対の対向する辺側、すなわち内部側面２１ａに対応する辺２２ａ側および内部側面２１ｂに対応する辺２２ｂ側にそれぞれの主照射領域Ｌａ，Ｌｂを有する。また、第１光源２４ａおよび第２光源２４ｂは、アタッチメント使用状態において、第２開口部４３における水平面のうち、一対の対向する辺側、すなわち辺２２ａに対応する辺４３ａ側および辺２２ｂに対応する辺４３ｂ側にそれぞれの主照射領域Ｌａ，Ｌｂを有する。これにより、第１光源２４ａおよび第２光源２４ｂは、筐体開口部２２および第２開口部４３における水平面で主照射領域Ｌａ，Ｌｂが重なり合わないように光を照射する。ここで、主照射領域Ｌａ，Ｌｂとは、第１光源２４ａおよび第２光源２４ｂからの光のうち、媒体Ｐで反射して撮像部３１に直接、本実施形態ではミラー２５を介して入射される光を照射する領域をいう。この領域は、生成された画像データＤＰにおいて第１光源２４ａおよび第２光源２４ｂが写り込み、写り込みが発生した領域に対応する媒体Ｐ１，Ｐ２の領域における画像を識別できない領域をいう。
【００２２】
ミラー２５は、図４，図５に示すように、筐体開口部２２において筐体内部２１ｆに露出する媒体Ｐ１、あるいは第２開口部４３において本体内部４１ａを介して筐体内部２１ｆに露出する媒体Ｐ２を撮像部３１により撮像させるものである。ミラー２５は、撮像部３１が露出する露出面２１ｃと対向する対向面２１ｄに設けられている。撮像部３１とミラー２５と筐体開口部２２との位置関係（筐体開口部２２の水平面に対する角度を含む）は、ミラー２５を介した撮像部３１の撮像範囲Ｓ（同図１点鎖線参照）が筐体開口部２２および第２開口部４３と同じ領域あるいはそれよりも広い領域となるように設定されている。つまり、撮像部３１は、筐体開口部２２および第２開口部４３において筐体内部２１ｆに露出する媒体Ｐ１、本体内部４１ａを介して筐体内部２１ｆに露出する媒体Ｐ２の全領域を撮像することができる。また、ミラー２５を介して媒体Ｐ１，Ｐ２を撮像部３１が撮像するので、撮像部３１の撮像範囲Ｓにより一義的に筐体開口部２２および第２開口部４３に対する撮像部３１の位置が決定されることがない。従って、筐体２およびアタッチメント４における撮像部３１の位置を任意に決定することができるので、筐体２およびアタッチメント４の大きさを抑制することができる。また、筐体２に対する外部装置３の収納位置を任意に決定することができるので、筐体２に対する外部装置３の着脱のしやすさを考慮した位置に外部装置３を収納する収納部２３を形成することができる。
【００２３】
接地センサ２６は、閉塞検出部であり、筐体開口部２２が閉塞されたことを検出するものである。本実施形態における接地センサ２６は、図１、図６に示すように、筐体２の底面２ａに設けられ、筐体２の底面２ａが媒体Ｐ１に密着、すなわち筐体開口部２２が媒体Ｐ１で閉塞されると、媒体Ｐ１によりアームが押圧され、変形することでＯＮとなる機械式のセンサである。
【００２４】
筐体制御部２７は、図８に示すように、筐体２に含まれる各機器を制御するものであり、光源制御部２７ａと、通信部２７ｂとを機能として含んでいる。光源制御部２７ａは、第１光源２４ａおよび第２光源２４ｂの点灯条件、すなわち光量、点灯タイミングなどに基づいて、複数の光源２４を駆動制御、例えばＤｕｔｙ比に基づいて駆動制御する。本実施形態における光源制御部２７ａは、アタッチメント非使用状態において、接地センサ２６により筐体開口部２２が閉塞されたことが検出される、あるいはアタッチメント使用状態において、後述するセンサ連動部４４を介して接地センサ２６により第２開口部４３が閉塞されたことが検出されると、第１光源２４ａおよび第２光源２４ｂを同時に点灯させる。光源制御部２７ａは、第１光源２４ａおよび第２光源２４ｂの同時点灯状態が、所定時間経過した場合に、同時に消灯させてもよい。光源制御部２７ａは、外部装置３からの光源切替信号に基づいて、第１光源２４ａのみを点灯させ、第１光源２４ａの消灯後、第２光源２４ｂのみを点灯させ、第２光源２４ｂを消灯させる。通信部２７ｂは、外部装置３に対して筐体２を電気的に接続するものであり、通信部３４との間で情報の授受を行うものである。ここで、通信部２７ｂおよび通信部３４は、電波などによる無線通信により情報の授受を行う。
【００２５】
また、筐体制御部２７は、アタッチメント４に対して電気的に接続されており、アタッチメント４の後述する識別チップ４５からアタッチメント４の識別番号を取得する。本実施形態における通信部２７ｂは、電波をエネルギー源として識別チップ４５を動作させるものである。ここで、通信部２７ｂが識別チップ４５に対して通信を確立できる範囲は、筐体２にアタッチメント４が取り付けられた状態における識別チップ４５の通信部２７ｂに対する距離を通信が確立できる限度距離となるように設定されている。従って、アタッチメント４が筐体２から取り外された状態では、通信部２７ｂに対する識別チップ４５の距離が限度距離を超えるため通信部２７ｂと識別チップ４５との通信が確立できない。つまり、通信部２７ｂが識別チップ４５に対して通信を確立できる範囲、すなわち筐体制御部２７によりアタッチメント４の識別番号を取得することができる場合は筐体２にアタッチメント４が取り付けられた状態であり、筐体制御部２７によりアタッチメント４の識別番号を取得することができない場合は筐体２からアタッチメント４が取り外された状態である。このことから、筐体制御部２７は、アタッチメント４の識別番号を取得することができることで、アタッチメント４が筐体２に取り付けられたことを検出する取付状態検出部として機能する。
【００２６】
電源部２８は、図６に示すように、筐体２に含まれる各機器、すなわち複数の光源２４および筐体制御部２７に電力を供給するものである。本実施形態における電源部２８は、一次電池や二次電池である。
【００２７】
収納センサ２９は、収納検出部であり、外部装置３が収納部２３に収納されたことを検出するものである。本実施形態における収納センサ２９は、図１に示すように、収納部２３に設けられ、収納部２３に外部装置３が収納、すなわち収納部２３が外部装置３で閉塞されると、外部装置３によりアームが押圧され、変形することでＯＮとなる機械式のセンサである。なお、収納センサ２９は、機械式のセンサに限定されるものではなく、収納部２３が外部装置３で閉塞されるとＯＮとなる照度センサなどであってもよい。
【００２８】
外部装置３は、筐体２とは別個であり、画像読取装置１Ａとしての機能に対応する読取アプリケーションが、外部装置３の初期時（工場出荷時）からインストール、あるいは記録媒体から読み込む（ダウンロードも含む）ことでインストールされるものである。本実施形態における外部装置３は、一部の機能として、画像読取装置１Ａとしての機能を有し、他の機能、例えば、電話機能、インターネット接続機能などを有しているスマートフォン、タブレットなどの携帯端末である。外部装置３は、図１，図８に示すように、撮像部３１と、表示部３２と、画像処理部３３と、通信部３４と、外部装置制御部３５と、電源部３６と、記憶部３７とを含んで構成されている。
【００２９】
撮像部３１は、図４，図５に示すように、筐体開口部２２において筐体内部２１ｆに露出する媒体Ｐ１、あるいは第２開口部４３において本体内部４１ａを介して筐体内部２１ｆに露出する媒体Ｐ２を撮像するものである。撮像部３１は、外部装置３の裏面（表示部３２が設けられている面と反対側の面）に配置されており、電源部３６からの電力により駆動するＣＣＤイメージセンサやＣＭＯＳイメージセンサなどの撮像素子が面状に配列されたものである。各撮像素子は、露光ごとに、入射される光に応じた出力値に基づいた画像信号を画像処理部３３に出力する。つまり、撮像部３１は、面状に配列された撮像素子により媒体Ｐを一度に撮像するものである。撮像部３１は、各撮像素子の撮像条件、すなわち露光タイミング、露光時間などに基づいて、各撮像素子を駆動制御する。撮像部３１は、複数の光源２４を点灯させる際に、各撮像素子を露光させる。本実施形態における撮像部３１は、第１光源２４ａおよび第２光源２４ｂの同時点灯状態において媒体Ｐ１，Ｐ２の撮像を継続する。また、撮像部３１は、第１光源２４ａのみの点灯時および第２光源２４ｂのみの点灯時のそれぞれの点灯時に、媒体Ｐ１，Ｐ２を１回ずつ撮像する。つまり、撮像部３１による各撮像時には、複数の光源２４のうち、前回の撮像時に点灯した光源（第１光源２４ａのみ）とは異なる光源（第２光源２４ｂのみ）が点灯する。
【００３０】
表示部３２は、図１に示すように、撮像部３１により撮像された媒体Ｐ１，Ｐ２を表示する。表示部３２は、外部装置３の表面に配置されており、電源部３６からの電力により駆動する液晶ディスプレイ、有機ＥＬディスプレイなどのディスプレイである。表示部３２は、画像処理部３３から出力される画像データ信号に基づいて、撮像部３１により撮像された画像（筐体開口部２２において筐体内部２１ｆに媒体Ｐ１が露出している場合は媒体Ｐ１に対応する画像、あるいは第２開口部４３において本体内部４１ａを介して筐体内部２１ｆに媒体Ｐ２が露出している場合は媒体Ｐ２に対応する画像）を表示する。本実施形態における表示部３２は、外部装置３の出力部としての機能以外に、入力部としての機能も有するタッチパネルディスプレイであり、ユーザーが任意の位置を押圧することで、位置に対する電気信号が外部装置３を構成する各機器に出力される。なお、表示部３２は、読取アプリケーションが実行されている際に、シャッターがアイコンとして表示され、ユーザーがシャッターを押下すると、撮像部３１による撮像を指示する撮像指示信号が後述する外部装置制御部３５から撮像部３１に出力され、撮像部３１による撮像が行われる。
【００３１】
画像処理部３３は、撮像部３１により撮像された媒体Ｐ１，Ｐ２に対応する画像データＤＰ１，ＤＰ２を処理するものである。画像処理部３３は、撮像部３１から出力される画像信号に基づいて、筐体開口部２２あるいは第２開口部４３を含む撮像範囲Ｓを撮像し、画像データＤＰ１，ＤＰ２を生成する。従って、筐体開口部２２が媒体Ｐ１により、第２開口部４３が媒体Ｐ２により閉塞されていると、媒体Ｐ１，Ｐ２に対応する画像データＤＰ１，ＤＰ２をそれぞれ生成することになる。また、画像処理部３３は、図９に示すように、第１光源２４ａのみの点灯時に撮像部３１により撮像して生成された画像データ（第１画像データＤ１）と、第２光源２４ｂのみの点灯時に撮像部３１により撮像して生成された画像データ（第２画像データＤ２）とを合成した合成画像データＤＧ、すなわち画像データＤＰを生成する。第１画像データＤ１は、第１光源２４ａのみの点灯時に撮像したものであるため、主照射領域Ｌａに対応する領域に第１光源２４ａの写り込みＰａが発生し、対応する媒体Ｐ１，Ｐ２の領域における画像を識別できない。一方、第２画像データＤ２は、第２光源２４ｂのみの点灯時に撮像したものであるため、主照射領域Ｌｂに対応する領域に第１光源２４ｂの写り込みＰｂが発生し、対応する媒体Ｐ１，Ｐ２の領域における画像を識別できない。ここで、写り込みＰａ，Ｐｂは、画像データＤＰの異なる位置で発生する。これは、第１光源２４ａおよび第２光源２４ｂは、筐体開口部２２あるいは第２開口部４３における水平面の異なる領域に光を照射するためである。従って、第１画像データＤ１においては、写り込みＰｂの領域に対応する媒体Ｐ１，Ｐ２の領域における画像を識別することができる。一方、第２画像データＤ２においては、写り込みＰａの領域に対応する媒体Ｐ１，Ｐ２の領域における画像を識別することができる。画像処理部３３は、両画像データＤ１，Ｄ２のうち、媒体Ｐ１，Ｐ２の領域における画像を識別することができる領域を抽出して合成画像データＤＧを生成する。本実施形態における画像処理部３３は、両画像データＤ１，Ｄ２のうち、両写り込みＰａ，Ｐｂの間に位置する両画像データＤ１，Ｄ２の中心線ＣＬを境界として設定する。画像処理部３３は、第１画像データＤ１のうち、中心線ＣＬよりも写り込みＰａが発生している側とは反対側の領域を抽出し、第２画像データＤ２のうち、中心線ＣＬよりも写り込みＰｂが発生している側とは反対側の領域を抽出して、抽出した２つの領域に対応する画像データを合成することで、合成画像データＤＧを生成する。つまり、生成される合成画像データＤＧは、両画像データＤ１，Ｄ２のうち、画像品位の高い領域のみから構成されている。画像処理部３３は、合成画像データＤＧに対して各種補正を行う。補正には、境界の平滑化、ミラー反転補正、台形補正、矩形クロッピング、ガンマ補正があるが後述する。
【００３２】
通信部３４は、図８に示すように、筐体２に対して外部装置３を電気的に接続するものであり、通信部２７ｂとの間で情報の授受を行うものである。本実施形態における通信部３４は、光源切替信号を通信部２７ｂに向けて出力する。
【００３３】
外部装置制御部３５は、撮像部３１を含む外部装置３を構成する機器を制御するものである。外部装置記憶部３５は、光源制御部２７ａを介して複数の光源２４を制御するものでもある。外部装置記憶部３５は、上記読取アプリケーションを実行することで、アタッチメント使用状態における筐体２および外部装置３により媒体Ｐ２の撮像を実現し、およびアタッチメント非使用状態における筐体２および外部装置３により媒体Ｐ１の撮像を実現するものである。また、外部装置制御部３５は、画像処理部３３において生成された画像データＤＰに対してタグ情報Ｔを付加するタグ情報付加部として機能する。ここで、タグ情報Ｔとは、撮像部３１による撮像時における情報である撮像情報を含むものであり、例えば、解像度（ｄｐｉ）、撮像サイズ（サイズ）、撮像範囲（ｍｍ）、露光時間（ｓｅｃ）、光量（％）などである。
【００３４】
電源部３８は、外部装置３に含まれる各機器、すなわち撮像部３１、表示部３２および筐体制御部３５などに電力を供給するものである。本実施形態における電源部３６は、二次電池である。
【００３５】
記憶部３７は、上記読取アプリケーションを記憶するものである。本実施形態における記憶部３７は、アタッチメント４の識別番号（複数種類のアタッチメント４が存在する場合には、各アタッチメント４にそれぞれ対応する識別番号）に関連づけられたアタッチメント情報を記憶するものである。アタッチメント情報は、外部装置３の初期時（工場出荷時）から記憶部に３７に記憶されている、あるいは記録媒体から読み込む（ダウンロードも含む）ことで記憶部３７に記憶されているものである。ここで、本実施形態に係るアタッチメント情報は、アタッチメント使用状態における撮像条件、点灯条件、アタッチメント使用状態において撮像され、生成された画像データＤＰが、アタッチメント非使用状態において撮像され、生成された画像データＤＰ対して変化する情報などが含まれている。アタッチメント情報としては、例えば、露光時間、光量、解像度、撮像サイズ、撮像範囲などである。
【００３６】
アタッチメント４は、図１に示すように、筐体２の底面２ａに着脱可能に取り付けられるものである。アタッチメント４は、筐体２に対して１種類、あるいは複数種類予め用意されているものである。本実施形態におけるアタッチメント４は、アタッチメント４の非使用状態における撮像部３１の撮像範囲Ｓよりも撮像範囲を大きくするものである。アタッチメント４は、本体部４１と、第１開口部４２と、第２開口部４３と、センサ連動部４４と、識別チップ４５とを備える。
【００３７】
本体部４１は、環境光を透過しない樹脂材料（例えば、黒色の合成樹脂）で形成され、第１開口部４２と第２開口部４３とが本体内部４１ａにより連通する枠状に形成されている。本体部４１は、高さ方向の上方側に第１開口部４２が形成され、下方側に第２開口部４３が形成されている。本体部４１は、四角錐台状に形成されており、４辺のうち３つの辺に爪部４１ｂ，４１ｃ，４１ｄが形成されている。爪部４１ｂ，４１ｃ，４１ｄは、第１開口部４２から筐体２側、すなわち高さ方向のうち上方に突出して形成されている。ここで、爪部４１ｂ，４１ｄは、アタッチメント使用状態における筐体２の傾斜面２１ｇ，傾斜面２１ｈとそれぞれ対向するように、第１開口部４２側に向かって突出している。従って、筐体２は、アタッチメント４に対して、爪部４１ｂ，４１ｃ、４１ｄが形成されていない辺から爪部４１ｂ，４１ｃ、４１ｄが外周面と対向するまで水平に移動させる（同図矢印Ｂ）ことで、アタッチメント４が取り付けられる。アタッチメント使用状態におけるアタッチメントは、爪部４１ｂ，４１ｄにより奥行き方向での筐体２に対する相対移動が規制され、爪部４１ｃにより幅方向での筐体２に対する相対移動が規制される。本体部４１は、アタッチメント使用状態において、接地センサ２６と高さ方向において対応する位置に切欠部４１ｅが形成されている。切欠部４１ｅは、アタッチメント使用状態において、接地センサ２６がアタッチメント４により押圧されることでＯＮとなることを防止するものである。つまり、接地センサ２６は、アタッチメント使用状態において、ＯＮとならない。
【００３８】
第１開口部４２は、アタッチメント使用状態において筐体２の底面２ａと対向して形成されている。第１開口部４２は、図示は省略するが筐体開口部２２と対向し、筐体開口部２２と同一形状である。従って、アタッチメント使用状態において本体内部４１ａは、筐体内部２１ｆと連通する。つまり、アタッチメント４は、アタッチメント使用状態において、筐体開口部２２を囲繞する。
【００３９】
第２開口部４３は、図４に示すように、底面４ａに形成されている。従って、アタッチメント４は、アタッチメント使用状態において、底面４ａが媒体Ｐ２に載置されると、本体内部４１ａおよび筐体内部２１ｆを閉塞し、筐体２とともに環境光を遮断する。本実施形態における第２開口部４３は、第１開口部４２よりも広く形成されており、２Ｌサイズ（１７８ｍｍ×１２７ｍｍ）の写真が第２開口部４３内に収まる面積で形成されている。後述する画像処理を考慮して、第２開口部４３は、２Ｌサイズの写真の中心と第２開口部４３の中心とを一致させた状態で、第２開口部４３の外縁と写真の外縁との間に隙間が形成される面積、例えば２０４ｍｍ×１４０ｍｍであることが好ましい。ここで、アタッチメント４の高さ、すなわち第１開口部４２から第２開口部４３までの高さ方向における距離は、撮像部３１の画角と第２開口部４３の面積とに基づいて設定される。撮像部３１の画角が一定の場合は、第２開口部４３の面積を第１開口部４２の面積よりも大きくすればするほど、すなわちアタッチメント使用状態における撮像範囲Ｓを広くすればするほど、アタッチメント４の高さが高くなる。また、所定の第２開口部４３の面積を実現するためには、撮像部３１の画角が広いほどアタッチメント４の高さが低く設定され、画角が狭いほどアタッチメント４の高さが高く設定される。
【００４０】
センサ連動部４４は、アタッチメント使用状態において、アタッチメント４の底面４ａが媒体Ｐ２に載置されたことを接地センサ２６に伝達するものである。センサ連動部４４は、本体部４４ａと、媒体側伝達部４４ｂと、筐体側伝達部４４ｃとを備える。本体部４４ａは、媒体側伝達部４４ｂの高さ方向における上下動を筐体側伝達部４４ｃの高さ方向における上下動に機械的に変化するものである。つまり、本体部４４ａは、媒体側伝達部４４ｂが上方に移動した場合、筐体側伝達部４４ｃを上方に移動させ、媒体側伝達部４４ｂが下方に移動した場合、筐体側伝達部４４ｃを下方に移動させる。媒体側伝達部４４ｂは、棒状に形成されており、本体部４４ａに対して上下動自在に支持されている。媒体側伝達部４４ｂは、図示しない弾性部材により下方に付勢されており、外力が作用していない状態で、底面４ａよりも下方に突出している。なお、弾性部材による付勢力は、底面４ａが媒体Ｐ２に載置された際に、筐体２およびアタッチメント４の自重により、媒体側伝達部４４ｂが上方に移動するように設定されている。筐体側伝達部４４ｃは、棒状に形成されており、本体部４４ａに対して上下動自在に支持されている。筐体側伝達部４４ｃは、媒体側伝達部４４ｂに外力が作用していない状態、すなわち媒体側伝達部４４ｂが最も下方に位置している状態で、切欠部４１ｅにおいて接地センサ２６を押圧しない、あるいは少なくともＯＮとしない位置に位置する。つまり、アタッチメント４には、筐体２と同様に、底面４ａが媒体Ｐ２に載置されたことを検出するための接地センサ２６を設ける必要がない。なお、媒体側伝達部４４ｂおよび筐体側伝達部４４ｃとの２つの部材としたが、１つの棒状の部材であってもよい。
【００４１】
識別チップ４５は、識別チップ４５が設けられるアタッチメント４の識別番号を記憶するものである。識別チップ４５は、通信部２７ｂとの通信が確立できれば、本体部４１に対する取付位置は特に限定されない。従って、アタッチメント４には、電力供給を要する機器がないので、アタッチメント４自体に電源部を設けることが不要となり、筐体２の電源部２８からアタッチメント４に電力供給をしなくてもよい。従って、アタッチメント４を簡単な構成とすることができる。
【００４２】
次に、本実施形態に係る画像読取装置１Ａによる媒体Ｐ１，Ｐ２の読み取りについて説明する。図９は、合成画像データを示す図である。図１０は、実施形態１に係る画像読取装置の読取動作のフローチャート図である。図１１は、実施形態１に係る画像読取装置の読取動作のフローチャート図である。図１２は、実施形態１に係る画像読取装置の読取動作のフローチャート図である。図１３は、アタッチメント使用状態において生成された画像データを示す図である。図１４は、アタッチメント非使用状態において生成された画像データを示す図である。
【００４３】
まず、ユーザーは、アタッチメント４を使用するか否かを決定する。本実施形態におけるユーザーは、画像読取装置１Ａで読み取り、すなわち撮像部３１により撮像し、画像データＤＰを生成したい媒体Ｐにおける媒体Ｐの読取対象領域Ｐｔの大きさにより、アタッチメント４の使用・非使用を決定する。ユーザーは、筐体２の筐体開口部２２内に読取対象領域Ｐｔが収まらず、かつ第２開口部４３に収まる場合は、図２に示すように、アタッチメント４を使用し、筐体２の筐体開口部２２内に読取対象領域Ｐｔが収まる場合は、図３に示すように、アタッチメント４を使用しない。
【００４４】
次に、ユーザーは、外部装置３を筐体２に取り付ける。ここでは、外部装置３が収納部２３に収納されることで、収納センサ２９がＯＮとなる。
【００４５】
次に、ユーザーは、外部装置３において読取アプリケーションの実行指示を行う。ここで、読取アプリケーションの実行指示は、例えば、ユーザーが表示部３２のタッチパネルを操作し、読取アプリケーションに対応する起動ボタンのアイコンを表示部３２に表示させ、起動ボタンを押下することで行われる。ここで、本実施形態における外部装置３の通信部３４は、読取アプリケーションの実行により、筐体２の通信部２７ｂとの通信を確立する。なお、ユーザーによる筐体２への外部装置３の取り付け、読取アプリケーションの実行指示は、いずれを先に行ってもよい。
【００４６】
次に、外部装置制御部３５は、図１０に示すように、ユーザーによる外部装置３の読取アプリケーションの実行指示に基づいて、撮像部３１を起動する（ステップＳＴ１）。これにより、撮像部３１は起動され、筐体開口部２２の撮像を継続し、画像信号が順次画像処理部３３に出力され、画像処理部３３が順次画像データＤＰを生成し、生成された画像データＤＰに基づいた画像が表示部３２により順次表示される。このとき、表示部３２には、画像とともに、シャッターがアイコンとして表示されている。外部装置制御部３５は、シャッターが押下されたか否かの判定（ステップＳＴ２）を、シャッターが押下されるまで繰り返し、シャッターが押下されるまで待機する。
【００４７】
次に、ユーザーは、図２に示すように、アタッチメント使用状態において読み取りを行いたい媒体Ｐ２を確認し、第２開口部４３が媒体Ｐ２の読取対象領域Ｐｔ２と対向するように、媒体Ｐ２に対して画像読取装置１Ａを手により位置づける。また、ユーザーは、図３に示すように、アタッチメント非使用状態において読み取りを行いたい媒体Ｐ１を確認し、筐体開口部２２が媒体Ｐ１の読取対象領域Ｐｔ１と対向するように、媒体Ｐ１に対して画像読取装置１Ａを手により位置づける。このとき、複数の光源２４は、消灯状態である。また、筐体制御部２７は、図１１に示すように、接地センサ２６がＯＮされたか否かの判定（ステップＳＴ２１）を、接地センサ２６がＯＮされるまで繰り返し、接地センサがＯＮとなるまで待機する。ここでは、アタッチメント使用状態における筐体制御部２７では、センサ連動部４４を介して接地センサ２６がＯＮされたか否かを判定する。
【００４８】
次に、ユーザーは、図２に示す矢印Ｃのように、アタッチメント使用状態における画像読取装置１Ａを媒体Ｐ２に向かって下げて、アタッチメント４を媒体Ｐ２に密着させる（媒体Ｐ２が第２開口部４３よりも小さい場合は、アタッチメント４の底面４ａを媒体Ｐ２が置かれた面と密着させる）。また、ユーザーは、図３に示す矢印Ｄのように、アタッチメント非使用状態における画像読取装置１Ａを媒体Ｐ１に向かって下げて、筐体２を媒体Ｐ１に密着させる（媒体Ｐ１が筐体開口部２２よりも小さい場合は、筐体２の底面２ａを媒体Ｐ１が置かれた面と密着させる）。このとき、複数の光源２４が消灯状態であるので、筐体内部２１ｆおよび本体内部４１ａは真っ暗となり、第２開口部４３あるいは筐体開口部２２を閉塞する媒体Ｐ１，Ｐ２を撮像部３１が順次撮像しているが、順次生成された画像には対応する媒体Ｐ１，Ｐ２の読取対象領域Ｐｔ１，Ｐｔ２における画像を認識することはできない。従って、表示部３２に順次表示される画像データに基づいた画像においても、読取対象領域Ｐｔ１，Ｐｔ２における画像を認識することはできない。一方、アタッチメント使用状態における接地センサ２６は、アタッチメント４が媒体Ｐ２に密着して、第２開口部４３が閉塞されたので、センサ連動部４４によりＯＮとなる。また、アタッチメント非使用状態における接地センサ２６は、筐体２が媒体Ｐ１に密着して、筐体開口部２２が閉塞されたのでＯＮとなる。
【００４９】
次に、筐体制御部２７は、図１１に示すように、接地センサがＯＮであると判定（ステップＳＴ２１Ｙｅｓ）すると、外部装置３が収納部２３に収納されているか否かを判定する（ステップＳＴ２２）。ここでは、筐体制御部２７は、通信が確立された外部装置３が撮像可能状態であるか否かを判定する。
【００５０】
次に、筐体制御部２７は、外部装置３が収納部２３に収納されていると判定（ステップＳＴ２２Ｙｅｓ）すると、全光源を点灯する（ステップＳＴ２３）。ここでは、光源制御部２７ａは、すでに外部装置３が収納部２３に収納されている状態で、接地センサ２６により第２開口部４３の閉塞あるいは筐体開口部２２の閉塞が検出された場合に、複数の光源２４をすべて点灯させる。筐体制御部２７は、アタッチメント４の使用状態が不明であるので、まずアタッチメント非使用状態において撮像部３１による撮像時に適切な所定の光量で全光源を点灯する。例えば、所定の光量を７０％とした場合、筐体制御部２７は、光量が７０％となるように、第１光源２４ａおよび第２光源２４ｂをＤｕｔｙ比に基づいて駆動制御する。全光源の点灯により、筐体内部２１ｆ、あるいは筐体内部２１ｆを介して本体内部４１ａに複数の光源２４からの光が照射され、第２開口部４３を閉塞する媒体Ｐ２、あるいは筐体開口部２２を閉塞する媒体Ｐ１に複数の光源２４からの光が直接、あるいはミラー２５を介して照射される。つまり、表示部３２は、複数の光源２４の点灯状態において撮像部３１により撮像している画像を表示する。第２開口部４３を閉塞する媒体Ｐ２、あるいは筐体開口部２２を閉塞する媒体Ｐ１を撮像部３１が順次撮像すると、順次生成された画像には対応する媒体Ｐ１，Ｐ２の読取対象領域Ｐｔ１，Ｐｔ２における画像を認識することができる。従って、表示部３２に順次表示される画像データＤＰに基づいた画像において、読取対象領域Ｐｔにおける画像を認識することできる。これにより、ユーザーは、表示部３２に表示される画像に基づいて、媒体Ｐ２と第２開口部４３との位置関係、あるいは媒体Ｐ１と筐体開口部２２との位置関係を調整することができ、読取対象領域Ｐｔ１，Ｐｔ２を第２開口部４３、筐体開口部２２にそれぞれ収めることができる。なお、画像データＤＰには、写り込みＰａ，Ｐｂが発生しているが、媒体Ｐ２と第２開口部４３との位置関係、あるいは媒体Ｐ１と筐体開口部２２との位置関係は認識することができる。また、光源制御部２７ａは、図１１に示すように、光量調整信号を受信したか否かの判定（ステップＳＴ２４）、あるいは光源切替信号を受信したか否かの判定（ステップＳＴ２７）を、後述する光量調整信号、あるいは第１光源点灯信号が受信されるまで繰り返し、光量調整信号、あるいは第１光源点灯信号が受信されるまで待機する。
【００５１】
次に、外部装置制御部３５は、図１０に示すように、ユーザーにより表示部３２のシャッターが押下されると、シャッターが押下されたと判定（ステップＳＴ２Ｙｅｓ）し、外部装置３が収納部２３に収納されているか否かを判定する（ステップＳＴ３）。ここでは、外部装置３は、筐体制御部２７を介して、通信が確立された外部装置３が撮像可能状態であるか否かを判定する。
【００５２】
次に、外部装置制御部３５は、外部装置３が収納部２３に収納されていると判定（ステップＳＴ３Ｙｅｓ）すると、アタッチメント４が有るか否か、すなわちアタッチメント４が取り付けられているか否かを判定する（ステップＳＴ４）。本実施形態における外部装置制御部３５は、筐体制御部２７により識別チップ４５からアタッチメント４の識別番号を検出できたか否かを、筐体制御部２７から外部装置制御部３５に出力される出力信号に基づいて判定する。
【００５３】
次に、外部装置制御部３５は、アタッチメント４が有りと判定（ステップＳＴ４Ｙｅｓ）すると、アタッチメント情報を取得する（ステップＳＴ５）。ここでは、外部装置制御部３５は、アタッチメント使用状態であると、筐体制御部２７から出力される識別番号に基づいて、記憶部３７に記憶されている識別番号に対応するアタッチメント情報を取得する。
【００５４】
次に、外部装置制御部３５は、取得したアタッチメント情報に基づいて、光量調整が必要か否かを判定する（ステップＳＴ６）。ここでは、外部装置制御部３５は、取得されたアタッチメント情報に含まれる光量（アタッチメント４を使用する場合の光量）が、アタッチメント非使用状態における上記所定の光量と異なるか否かを判定する。
【００５５】
次に、外部装置制御部３５は、光量調整が必要と判定する（ステップＳＴ６Ｙｅｓ）と、光量調整信号を発信する（ステップＳＴ７）。ここでは、外部装置制御部３５は、通信部３４および通信部２７ｂを介して、筐体２の光源制御部２７ａに、複数の光源２４がアタッチメント情報に基づいた光量となる光量調整信号を出力する。アタッチメントに基づいた光量は、アタッチメント４が撮像範囲Ｓを広くするものであり、複数の光源２４と媒体Ｐ２と距離がアタッチメント非使用状態の複数の光源２４と媒体Ｐ１との距離よりも大きくなるので、アタッチメント非使用状態における光量よりも大きい値、例えば、８０％に設定されている。これにより、光源制御部２７ａは、図１１に示すように、光量調整信号が受信されたと判定（ステップＳＴ２４Ｙｅｓ）し、アタッチメント情報に基づいた光量を調整する（ステップＳＴ２５）。
【００５６】
次に、外部装置制御部３５は、図１０に示すように、撮像部３１に焦点・露出・ホワイトバランス（ＷＢ）の調整を行わせる（ステップＳＴ８）。ここでは、撮像部３１は、本体内部４１ａおよび筐体内部２１ｆの環境に合わせて撮像部３１を調整することで、両画像データＤ１，Ｄ２のうち、特に、写り込みＰａ，Ｐｂが発生している側とは反対側の領域に対して、最適な画質が得られるように、これらの調整を行う。なお、外部装置制御部３５は、光量調整が不要と判定する（ステップＳＴ６Ｎｏ）と、直接撮像部３１に焦点・露出・ホワイトバランス（ＷＢ）の調整を行わせる。これにより、光源制御部２７ａは、図１１に示すように、光量調整信号が受信されないと判定（ステップＳＴ２４Ｎｏ）し、アタッチメント非使用状態における光量を維持する。また、外部装置制御部３５は、アタッチメント４がないと判定（ステップＳＴ４Ｎｏ）すると、直接撮像部３１に焦点・露出・ホワイトバランス（ＷＢ）の調整を行わせる。従って、外部装置制御部３５は、アタッチメント非使用状態であると、アタッチメント情報および光量調整を行わない。
【００５７】
また、光源制御部２７ａは、接地センサ２６がＯＦＦであると判定（ステップＳＴ２１Ｎｏ）すると、あるいは外部装置３が収納部２３に収納されていないと判定（ステップＳＴ２２Ｎｏ）すると全光源を消灯する（ステップＳＴ２６）。つまり、光源制御部２７ａは、接地センサ２６がＯＦＦである、あるいは外部装置３が収納部２３に収納されていない、すなわち画像読取装置１Ａによる媒体Ｐの読取準備ができるまでは、全光源を点灯しない。従って、全光源は、画像読取装置１Ａによる媒体Ｐの読取準備ができた場合のみ、点灯するので、筐体２の電力消費を抑制することができる。
【００５８】
次に、外部装置制御部３５は、光源切替信号を発信する（ステップＳＴ９）。ここでは、外部装置制御部３５は、通信部３４および通信部２７ｂを介して、筐体２の光源制御部２７ａに第１光源２４ａのみを点灯させる光源切替信号である第１光源点灯信号を発信する。これにより、光源制御部２７ａは、図１１に示すように、第１光源点灯信号が受信され（ステップＳＴ２７Ｙｅｓ）、第１光源点灯信号に基づいて第１光源２４ａのみを点灯する（ステップＳＴ２８）。なお、第１光源２４ａのみの点灯時における光量は、光量調整信号を受信した場合では上記アタッチメント４に基づいた光量であり、光量調整信号を受信していない場合では上記所定の光量である。
【００５９】
次に、外部装置制御部３５は、図１０に示すように、第１光源２４ａのみの点灯時に、撮像部３１による撮像を行う（ステップＳＴ１０）。ここでは、外部装置制御部３５は、撮像部３１における撮像条件のうち、取得されたアタッチメント情報に含まれる撮像条件（アタッチメント４を使用する場合の撮像条件）が、アタッチメント非使用状態における撮像条件と異なるか否かを判定し、異なる場合にアタッチメント情報に基づいた撮像条件に変更する。外部装置制御部３５は、アタッチメント情報が取得されている場合、アタッチメント非使用状態における露光時間が例えば１Ｓｅｃ、アタッチメント情報に含まれる露光時間が例えばアタッチメント非使用状態における露光時間が＋αＳｅｃに設定されていると、撮像部３１に露光時間を１＋αＳｅｃで媒体Ｐ２を撮像させる。外部装置制御部３５は、アタッチメント情報が取得されていない場合、撮像部３１に露光時間１Ｓｅｃで媒体Ｐ１を撮像させる。
【００６０】
次に、画像処理部３３は、第１光源２４ａに対応する写り込みＰａが発生した第１画像データＤ１を生成する。なお、生成時に、表示部３２に第１画像データＤ１に基づいた画像を表示してもよい。また、光源制御部２７ａは、図１１に示すように、光源切替信号を受信したか否かの判定（ステップＳＴ２９）を、後述する第２光源点灯信号が受信されるまで繰り返し、第２光源点灯信号が受信されるまで待機し、第１光源２４ａの点灯を維持する。
【００６１】
次に、外部装置制御部３５は、図１０に示すように、光源切替信号を発信する（ステップＳＴ１１）。ここでは、外部装置制御部３５は、光源制御部２７ａに第２光源２４ｂのみを点灯させる光源切替信号である第２光源点灯信号を発信する。これにより、光源制御部２７ａは、図１１に示すように、第２光源点灯信号が受信され（ステップＳＴ２９Ｙｅｓ）、第２光源点灯信号に基づいて第１光源２４ａを消灯し、第２光源２４ｂのみを点灯する（ステップＳＴ３０）。なお、第２光源２４ｂのみの点灯時における光量は、光量調整信号を受信した場合では上記アタッチメント４に基づいた光量であり、光量調整信号を受信していない場合では上記所定の光量である。
【００６２】
次に、外部装置制御部３５は、図１０に示すように、第２光源２４ｂのみの点灯時に、撮像部３１による撮像を行う（ステップＳＴ１２）。ここでは、外部装置制御部３５は、上記第１光源２４ａのみの点灯時の撮像部３１による撮像と同様に、撮像部３１における撮像条件のうち、取得されたアタッチメント情報に含まれる撮像条件（アタッチメント４を使用する場合の撮像条件）が、アタッチメント非使用状態における撮像条件と異なるか否かを判定し、異なる場合にアタッチメント情報に基づいた撮像条件に変更する。
【００６３】
次に、画像処理部３３は、第２光源２４ｂに対応する写り込みＰｂが発生した第２画像データＤ２を生成する。なお、生成時に、表示部３２に第２画像データＤ２に基づいた画像を表示してもよい。また、光源制御部２７ａは、図１１に示すように、光源切替信号を受信したか否かの判定（ステップＳＴ３１）を、後述する全光源消灯信号が受信されるまで繰り返し、全光源消灯信号が受信されるまで待機し、第２光源２４ｂの点灯を維持する。
【００６４】
次に、外部装置制御部３５は、図１０に示すように、光源切替信号を発信する（ステップＳＴ１３）。ここでは、外部装置制御部３５は、光源制御部２７ａに第２光源２４ｂを消灯させる光源切替信号である全光源消灯信号を発信する。これにより、光源制御部２７ａは、図１１に示すように、全光源消灯信号が受信され（ステップＳＴ３１Ｙｅｓ）、全光源消灯信号に基づいて第２光源２４ｂを消灯し、複数の光源２４のすべてを消灯する（ステップＳＴ３２）。
【００６５】
次に、外部装置制御部３５は、画像処理部３３に画像処理を行わせる（ステップＳＴ１４）。ここでは、画像処理部３３は、主に、合成画像データＤＧの生成、合成画像データＤＧの補正を行う。まず、画像処理部３３は、図１２に示すように、画像データの露出を補正する（ステップＳＴ１４１）。ここでは、画像処理部３３は、両画像データＤ１，Ｄ２の明暗差が小さくなるように、両画像データＤ１，Ｄ２のうち少なくとも一方の露出を補正する。これにより、両画像データＤ１，Ｄ２から生成された合成画像データＤＧにおいて中心線ＣＬを挟んで発生する明暗差を抑制することができる。
【００６６】
次に、画像処理部３３は、合成画像データＤＧ（画像データＤＰ）を生成する（ステップＳＴ１４２）。ここでは、画像処理部３３は、上述のように、図９に示すように、両画像データＤ１，Ｄ２から合成画像データＤＧを生成する。
【００６７】
次に、画像処理部３３は、図１２に示すように、境界の平滑化を行う（ステップＳＴ１４３）。ここでは、画像処理部３３は、図９に示すように、合成画像データＤＧの境界、すなわち中心線ＣＬ近傍の画素データに対して、矩形合成処理、フェザリング処理などの公知の平滑化処理の少なくともいずれかを実行し、中心線ＣＬ近傍の平滑化を行う。これにより、合成画像データＤＧの中心線ＣＬを挟んで、合成画像データＤＧが２つの画像データＤ１，Ｄ２を合成して生成されたものであることが認識されることを抑制することができる。
【００６８】
次に、画像処理部３３は、ミラー反転補正を行う（ステップＳＴ１４４）。ミラー２５を介して第２開口部４３あるいは筐体開口部２２から媒体Ｐを撮像部３１により撮像するために、画像処理部３３により生成される画像データは、上下が反転しているミラー画像に基づいたものとなる。そこで、画像処理部３３は、合成画像データＤＧの上下を反転させるべく、公知のミラー反転の補正を行う。
【００６９】
次に、画像処理部３３は、台形補正を行う（ステップＳＴ１４５）。ミラー２５を介して第２開口部４３あるいは筐体開口部２２から媒体Ｐを撮像部３１により撮像するために、第２開口部４３あるいは筐体開口部２２が矩形であっても、撮像部３１においては第２開口部４３あるいは筐体開口部２２が台形に見える。従って、画像処理部３３により生成される画像データにおいて、媒体Ｐ１，Ｐ２上で矩形であった画像は台形となる。そこで、画像処理部３３は、例えば、媒体Ｐ１，Ｐ２における画像に対する画像データＤＰにおいて対応する画像の変形量について、撮像部３１と、ミラー２５と、第２開口部４３あるいは筐体開口部２２との位置関係に基づいて設定しておき、変形量に基づいて公知の台形補正を行う。
【００７０】
次に、画像処理部３３は、矩形クロッピングを行う（ステップＳＴ１４６）。ここでは、画像処理部３３は、合成画像データＤＧにおける読取対象領域Ｐｔ１，Ｐｔ２に対応する領域を、例えば、読取対象領域Ｐｔ１，Ｐｔ２に対応する領域とその他の領域との明暗差などに基づいて抽出することができる公知の矩形クロッピングを行う。これにより、画像処理部３３は、読取対象領域Ｐｔ１，Ｐｔ２に対応する領域のみから構成される画像データＤＰを生成する。
【００７１】
次に、画像処理部３３は、ガンマ補正を行う（ステップＳＴ１４７）。ここでは、画像処理部３３は、画像データＤＰに対して、表示部３２の特性、あるいは標準的な表示部の特性に合わせた公知のガンマ補正を行う。
【００７２】
次に、外部装置制御部３５は、生成された画像データＤＰにタグ情報Ｔを付加する（ステップＳＴ１５）。ここでは、外部装置制御部３５は、図１３および図１４に示すように、アタッチメント使用状態において生成された画像データＤＰ２あるいはアタッチメント非使用状態において生成された画像データＤＰ１にタグ情報Ｔ１，Ｔ２を付加する。付加されるタグ情報Ｔ１，Ｔ２は、図１４に示すように、アタッチメント使用状態において生成された画像データＤＰ２とアタッチメント非使用状態において生成された画像データＤＰ１とでは、各項目の値が異なる場合がある。これは、アタッチメント使用状態において生成された画像データＤＰ２に対して付加されるタグ情報Ｔ２は、アタッチメント情報を取得することで、画像読取装置１Ａの例えば、解像度、撮像サイズ、撮像範囲、露光時間、光量などが変化するためである。従って、画像データＤＰにタグ情報Ｔ１，Ｔ２を付加し、アタッチメント使用状態で生成された画像データＤＰに対しては、タグ情報Ｔ１，Ｔ２がアタッチメント情報に基づいて変更されるので、画像データＤＰを取り扱うユーザーにとって、画像読取装置１Ａで生成された画像データＤＰごとに、画像データＤＰに対する詳細な情報を取得することができる。
【００７３】
次に、外部装置制御部３５は、表示部３２に、画像データＤＰに基づいた画像を表示する（ステップＳＴ１６）。本実施形態における外部装置３は、各種処理が行われた画像データＤＰに基づいた画像を表示する。
【００７４】
次に、外部装置制御部３５は、画像データＤＰを保存する（ステップＳＴ１７）。本実施形態における外部装置制御部３５は、各種処理が行われた画像データＤＰを記憶部３７に記憶する。
【００７５】
なお、上記境界の平滑化、各補正、矩形クロッピングは、読取アプリケーションにより、表示部３２に表示されるアイコンを操作することで実行の要否や、各種設定が行えることが好ましい。また、画像データＤＰの記憶部３７における記憶は、読取アプリケーションにより表示部３２に表示されるアイコンを操作することでユーザーが指示することが好ましい。
【００７６】
以上のように、本実施形態にかかる画像読取装置１Ａは、第２開口部４３あるいは筐体開口部２２を介して媒体Ｐを撮像するので、媒体Ｐを搬送することや、撮像部３１が媒体Ｐに接触しながら移動することがなく、媒体Ｐの損傷を抑制することができる。また、媒体Ｐに対して画像読取装置１Ａを手で載置させるだけで、画像データ（第１画像データＤ１、第２画像データＤ２、合成画像データＤＧ）を生成することができる。従って、画像読取装置１Ａ側を媒体Ｐまで移動させることで画像データＤＰを生成することができるので、手軽に媒体Ｐを画像データＤＰに変換することができる。また、アタッチメント使用状態におけるアタッチメント４、あるいはアタッチメント非使用状態における筐体２を媒体Ｐに密着させることで、内部に照射される環境光を遮断することができる。従って、撮像部３１は、複数の光源２４からの光のみで、媒体Ｐを撮像することができるので、外乱に影響されることで画像品位が低下することを抑制でき、画像品位の高い画像データを生成することができる。
【００７７】
また、撮像部３１による各撮像時には、第２開口部４３あるいは筐体開口部２２における水平面の異なる領域に光が照射される（主照射領域Ｌａ，Ｌｂ）こととなるので、生成される各画像データ（第１画像データＤ１、第２画像データＤ２）において同じ領域に写り込み（写り込みＰａ，Ｐｂ）が発生することがない。従って、各画像データのうち写り込みが発生していない領域を抽出して合成画像データＤＧ（画像データＤＰ）を生成することで、画像データＤＰのうち写り込みが発生している領域を排除することができる。これにより、合成画像データＤＧは、各画像データＤ１，Ｄ２のうち画像品位の高い領域のみから構成されるので、画像品位の高い画像データＤＰを生成することができる。
【００７８】
また、外部装置３が筐体２に対して着脱可能であるため、撮像部３１および表示部３２も筐体２に対して取り外すことができる。従って、筐体２側に、撮像部３１および表示部３２を設けずに、ユーザーが有している既存の外部装置３を用いて、画像読取装置１Ａを構成することができる。これにより、筐体２の構成を簡略化することができ、筐体２の製造コストを削減することができる。また、筐体２は、電子部品である撮像部３１および表示部３２を有さないので、故障などの発生率を低減することができ、耐久性が向上する。
【００７９】
また、画像読取装置１Ａは、アタッチメント４が筐体２に対して着脱可能であるため、アタッチメント非使用状態に対して、アタッチメント４を使用することで、撮像条件、点灯条件などを含む撮像環境を変更することができる。本実施形態における画像読取装置１Ａは、アタッチメント使用状態で、アタッチメント非使用状態に対して撮像範囲Ｓを拡大することができる。また、実施形態における画像読取装置１Ａは、アタッチメント４の使用により撮像環境が変更されても、取り付けられたアタッチメント４のアタッチメント情報に基づいて、自動的に変更された撮像環境に応じて撮像部３１および複数の光源２４の制御を変更することができる。これらにより、ユーザーは、撮像環境の変更をアタッチメント４の筐体２に対する着脱により容易に行うことができる。
【００８０】
〔実施形態２〕
次に、実施形態２に係る画像読取装置について説明する。図１５は、実施形態２に係る画像読取装置の外観図である。実施形態２に係る画像読取装置１Ｂが、実施形態１に係る画像読取装置１Ａと異なる点は、図１５に示すように、アタッチメント４の筐体２に対する取付構造が異なる点である。なお、画像読取装置１Ｂの基本的構成は、画像読取装置１Ａの基本的構成とほぼ同一であるため、同一符号の説明は省略あるいは簡略化する。
【００８１】
画像読取装置１Ｂは、磁力により筐体２に対してアタッチメント４を着脱可能とする。筐体２の底面２ａとアタッチメント４の底面４ａと対向する面には、マグネタイトなどの磁石および鉄などの磁性体がそれぞれ設けられている。本実施形態では、アタッチメント４の第１開口部４２の周囲に複数の磁石４６が取り付けられており、筐体２の底面２ａに各磁石４６に対応する磁性体５がそれぞれ設けられている。従って、アタッチメント４を使用する際には、各磁石４６に各磁性体５を対向させ、同図に示す矢印Ｅのように、筐体２とアタッチメント４を近づけ、磁力により筐体２に対してアタッチメント４を取り付ける。これにより、簡単な構成で、アタッチメント４を筐体２に着脱可能に取り付けることができる。なお、筐体２に対するアタッチメント４の位置決めのために、同図に示すように、爪部４１ｃを設けていてもよい。
【００８２】
なお、上記実施形態１，２では、取付状態検出部である筐体制御部２７は、識別チップ４５に記憶されている識別番号を取得することでアタッチメント情報を記憶部３７から取得するがこれに限定されるものではない。
【００８３】
例えば、アタッチメント４の種類ごとに異なる抵抗値の抵抗体をアタッチメント４に取り付け、アタッチメント使用状態において筐体２から電力を抵抗体に供給してもよい。この場合、筐体制御部２７は、抵抗体ごとに変化する電圧値に基づいた出力信号を外部装置制御部３５に出力し、外部装置制御部３５は、電圧値に基づいて、記憶部３７に予め記憶されている、電流値とアタッチメント４の識別番号との関係から、記憶部３７に記憶されている識別番号に対応するアタッチメント情報を取得する。
【００８４】
また、アタッチメント使用状態において筐体２の底面２ａと対向する面に、アタッチメント４の種類ごとに異なる識別チャート（二次元バーコード、マトリックス型二次元バーコードなど）を設け、筐体２の底面２ａの識別チャートに対向する部分に識別チャートを検出する光学センサを設けてもよい。この場合、筐体制御部２７は、光学センサにより検出された識別チャートに基づいた識別番号に対応する出力信号を外部装置制御部３５に出力し、外部装置制御部３５は、出力信号に基づいて、記憶部３７に記憶されている識別番号に対応するアタッチメント情報を取得する。
【００８５】
また、アタッチメント４が１種類である場合は、筐体２の底面２ａに、接地センサ２６とは異なり、アタッチメント４によりアームが押圧され、変形することでＯＮとなる機械式の取付センサを取り付けてもよい。この場合、筐体制御部２７は、アタッチメント使用状態において、取付センサがＯＮとなることで、ＯＮに対応する出力信号を外部装置制御部３５に出力し、外部装置制御部３５は、出力信号に基づいて記憶部３７に記憶されているアタッチメント情報を取得する。
【００８６】
図１６は、他の実施形態に係る画像読取装置のアタッチメント使用状態を示す図である。図１７は、アタッチメント使用状態における撮像範囲を示す図である。図１６に示すように、アタッチメント使用状態において本体部４１の内壁の少なくとも一部が、撮像部３１の撮像範囲Ｓ´に含まれるように画像読取装置１Ｃを形成し、撮像範囲Ｓ´に含まれる内壁４７に、図１７に示すように、識別チャート４８を設けてもよい。この場合、外部装置制御部３５は、取付状態検出部として機能し、上述の全光源点灯時において生成された画像データＤＰに含まれる識別チャート４８に対応する画像から取り付けられたアタッチメント４の識別番号を判定し、記憶部３７に記憶されている識別番号に対応するアタッチメント情報を取得する。従って、アタッチメント情報を取得するために、アタッチメント４に設けられる識別番号に関する情報を検出するためのセンサを新たに設けることを抑制することができる。なお、外部装置制御部３５は、撮像範囲Ｓ´のうち内壁４７の部分を表示部３２により表示させなくてもよい。
【００８７】
また、上記実施形態における筐体２は、電源部２８を有するが、筐体２の外部の電力源から筐体２の各機器に電力が供給されてもよい。外部の電力源としては、商用電源、太陽光発電、外部装置３に搭載されている電源部３６などがある。
【００８８】
また、上記実施形態における第１光源２４ａおよび第２光源２４ｂは、一対の対向する内部側面２１ａ，２１ｂにそれぞれ設けたが、対向する主照射領域Ｌａ，Ｌｂが重なり合わなければよいので、これに限定されるものではない。第１光源２４ａおよび第２光源２４ｂは、それぞれの光軸を調整することで、例えば、同じ面（内部側面２１ａ，２１ｂ、露出面２１ｃ）において、取り付ける高さを変更、あるいは同じ高さで並列に取り付けることができる。また、光源２４を構成する複数の発光素子の光軸を変更することで、１つの光源２４で重なり合わない主照射領域Ｌａ，Ｌｂを実現してもよい。
【００８９】
また、上記実施形態では、複数の光源２４として２つの光源の場合について説明したが、第２開口部４３あるいは筐体開口部２２における水平面の異なる領域に光を照射することができれば、光源は３以上であってもよい。この場合は、撮像部３１が各光源の点灯ごとに第２開口部４３あるいは筐体開口部２２を介して媒体Ｐを撮像するので、生成される画像データは光源の数となるが、画像処理部３３は、各画像データのうち写り込みが発生していない領域を抽出して、合成画像データＤＧを生成する。また、上記実施形態では、撮像部３１による各撮像時に、複数の光源２４のうち、１つのみが点灯する場合について説明したが、第２開口部４３あるいは筐体開口部２２における水平面の異なる領域に光を照射することができれば、複数同時に点灯してもよい。また、接地センサ２６がＯＮである場合は、複数の光源２４をすべて点灯する場合について説明したが、少なくとも１以上が点灯すればよい。
【００９０】
また、上記実施形態では、撮像範囲Ｓ´を拡大できるアタッチメント４について説明したが、これに限定されるものではなく、アタッチメント非使用状態における撮像範囲Ｓより撮像範囲を縮小するアタッチメント４であってもよい。また、本体内部４１ａに偏光フィルタや色フィルタなどのフィルタを設けたアタッチメント４であってもよい。
【００９１】
また、上記実施形態における識別チップ４５や、識別チャート４８は、アタッチメント４の識別番号のみならず、アタッチメント情報を記憶していてもよい。この場合は、外部装置３の記憶部３７にアタッチメント情報を予め記憶しておく必要がないので、外部装置制御部３５が識別番号の取得と同時にアタッチメント情報の取得を行うことができる。
【符号の説明】
【００９２】
１Ａ〜１Ｃ  画像読取装置
２  筐体
２１  本体部
２２  筐体開口部
２３  収納部
２４  光源
２４ａ  第１光源
２４ｂ  第２光源
２５  ミラー
２６  接地センサ
２７  筐体制御部
２７ａ  光源制御部
２７ｂ  通信部
３  外部装置
３１  撮像部
３２  表示部
３３  画像処理部
３４  通信部
３５  外部装置制御部
３６  電源部
３７  記憶部
４  アタッチメント
４１  本体部
４２  第１開口部
４３  第２開口部
４４  センサ連動部
４５  識別チップ
４６  磁石
５  磁性体
Ｐ，Ｐ１，Ｐ２  媒体
Ｐｔ，Ｐｔ１，Ｐｔ２  読取対象領域
ＤＰ，ＤＰ１，ＤＰ２  画像データ
【図１】
0005863888.tif 000002
【図２】
0005863888.tif 000003
【図３】
0005863888.tif 000004
【図４】
0005863888.tif 000005
【図５】
0005863888.tif 000006
【図６】
0005863888.tif 000007
【図７】
0005863888.tif 000008
【図８】
0005863888.tif 000009
【図９】
0005863888.tif 000010
【図１０】
0005863888.tif 000011
【図１１】
0005863888.tif 000012
【図１２】
0005863888.tif 000013
【図１３】
0005863888.tif 000014
【図１４】
0005863888.tif 000015
【図１５】
0005863888.tif 000016
【図１６】
0005863888.tif 000017
【図１７】
0005863888.tif 000018